(57)【要約】【課題】冷蔵庫の内容積の減少や、断熱性能の低下を極力抑えつつ、冷蔵庫の開口部の手前から奥側に向けて照明する照明ユニットを備えた冷蔵庫の提供。【解決手段】前面に開口部を有する主箱体１０１と、主箱体１０１の開口部近傍の内壁に配置され主箱体１０１内方に光を放射する半導体発光素子２１０と、半導体発光素子２１０を主箱体１０１内方の雰囲気から遮断するカバー部材２２０とを備える冷蔵庫１００であって、半導体発光素子２１０の配置される内壁面Ａと半導体発光素子２１０が取り付けられる基板２２３の面である板面Ｆとが平行となるように配置される基板２２３を備え、半導体発光素子２１０は、光軸Ｂが内壁面Ａに垂直な軸である内壁軸Ｃよりも奥側に傾くように配置される。【選択図】図４
2011179795.tif 000002
【特許請求の範囲】
【請求項１】
前面に開口部を有する主箱体と、前記主箱体の開口部近傍の内壁に配置され前記主箱体内方に光を放射する半導体発光素子と、前記半導体発光素子を前記主箱体内方の雰囲気から遮断するカバー部材とを備える冷蔵庫であって、
前記半導体発光素子が取り付けられ、前記半導体発光素子に電力を供給するための配線が設けられる板状の基板であって、前記半導体発光素子の配置される内壁面と前記半導体発光素子が取り付けられる前記基板の面である板面とが平行となるように配置される基板を備え、
前記半導体発光素子は、光軸が前記内壁面に垂直な軸である内壁軸よりも奥側に傾くように配置される
冷蔵庫。
【請求項２】
前記半導体発光素子は、
素子本体と、
前記素子本体から突出状に設けられるリード線とを備え、
当該冷蔵庫はさらに、
前記リード線を保護し、前記基板に対し前記素子本体を固定する中間部材
を備える請求項１に記載の冷蔵庫。
【発明の詳細な説明】
【技術分野】
【０００１】
本発明は、冷蔵庫に関し、特に、庫内を照明する半導体発光素子を備える冷蔵庫に関する。
【背景技術】
【０００２】
従来、庫内に光を照射する半導体発光素子を備えている冷蔵庫が知られている。例えば、特許文献１には、冷蔵庫の庫内天面に、半導体発光素子である発光ダイオードを有する照明装置を備えている冷蔵庫が開示されている。この半導体発光素子は、半導体発光素子が取り付けられる基板の板面と半導体発光素子の光軸とが垂直に交わるように基板に取り付けられている。
【先行技術文献】
【特許文献】
【０００３】
【特許文献１】特開２００１−８２８６９号公報
【発明の概要】
【発明が解決しようとする課題】
【０００４】
昨今の冷蔵庫においては、庫内の視認性を向上させるため、冷蔵庫の手前側（開口部側）から奥側に向けて光を照射する構成が広く採用されるに至っている。ところが、従来の半導体発光素子と基板との関係でこのような構成を採用した場合、基板を大きく傾ける必要が生じる。
【０００５】
この場合、基板が冷蔵庫の庫内に突出することになり、冷蔵庫の内容積を低下させることとなる。また、冷蔵庫に対し物を出し入れする際の邪魔にもなる。このような基板の冷蔵庫内方への張り出しを抑制するには、冷蔵庫の内壁に凹陥部を設けて傾いた基板を収容すればよいが、基板を十分に傾けるためには凹陥部の深さを深くしなければならず、冷蔵庫の断熱性能が低下する。
【０００６】
本願発明は、このような問題に鑑みてなされたものであり、半導体発光素子が傾いて配置されている場合でも、基板の冷蔵庫内方への張り出しを抑制し、凹陥部の深さを浅くすることのできる冷蔵庫の提供を目的としている。
【課題を解決するための手段】
【０００７】
上記目的を達成するために、本願発明にかかる冷蔵庫は、前面に開口部を有する主箱体と、前記主箱体の開口部近傍の内壁に配置され前記主箱体内方に光を放射する半導体発光素子と、前記半導体発光素子を前記主箱体内方の雰囲気から遮断するカバー部材とを備える冷蔵庫であって、前記半導体発光素子が取り付けられ、前記半導体発光素子に電力を供給するための配線が設けられる板状の基板であって、前記半導体発光素子の配置される内壁面と前記半導体発光素子が取り付けられる前記基板の面である板面とが平行となるように配置される基板を備え、前記半導体発光素子は、光軸が前記内壁面に垂直な軸である内壁軸よりも奥側に傾くように配置されることを特徴としている。
【０００８】
これによれば、冷蔵庫の開口部近傍から奥側に光軸が向くように半導体発光素子を配置した場合でも、板面を冷蔵庫の内壁面と平行となるように基板が配置されるため、基板の冷蔵庫内方への張り出しを抑制することが可能となる。また、冷蔵庫の内壁に凹陥部を設けて凹陥部の内方に基板を配置する場合、凹陥部の深さを浅くすることが可能となる。
【０００９】
前記半導体発光素子は、素子本体と、前記素子本体から突出状に設けられるリード線とを備え、当該冷蔵庫はさらに、前記リード線を保護し、前記基板に対し前記素子本体を固定する中間部材を備えるものでもよい。
【００１０】
これによれば、基板と素子本体とが離れて配置され、基板と素子本体とがリード線によって物理的に接続されている場合でも、中間部材によってリード線を保護するため、リード線に不本意に何らかの部材が接触してリード線が短絡してしまうことを防止できる。また、冷蔵庫に発生するコンプレッサなどの振動により素子本体が大きく振動することを中間部材によって抑制することが可能となる。
【発明の効果】
【００１１】
本願発明によれば、基板の板面の法線と交差する方向に半導体発光素子の光軸が配置されるため、冷蔵庫内方への張り出しを抑制し、また、凹陥部の深さを浅くすることが可能となる。
【図面の簡単な説明】
【００１２】
【図１】本願発明の実施の形態にかかる冷蔵庫を正面から示す平面図である。
【図２】冷蔵室を形成する副箱体を正面から示す平面図である。
【図３】冷蔵室を形成する副箱体の断面状態を側面から示す平面図である。
【図４】主箱体の内壁に配置される照明ユニットの断面を側方から示す平面図である。
【図５】基板と半導体発光素子との接続状態を側方から一部を切り欠いて模式的に示す平面図である。
【図６】中間部材を示す図であり、（ａ）は、中間部材の断面を側方（図５に示す方向）から示す平面図、（ｂ）は、中間部材を正面から示す平面図である。
【図７】主箱体の内壁に配置される照明ユニットの断面を側方から示す平面図である。
【発明を実施するための形態】
【００１３】
以下、本願発明に係る冷蔵庫の実施の形態について、図面を参照しながら説明する。
図１は、本願発明の実施の形態にかかる冷蔵庫を正面から示す平面図である。
【００１４】
同図に示すように、本実施の形態にかかる冷蔵庫１００は、前面に開口する主箱体１０１を備えている。また、主箱体１０１は、内方が区画されて形成される複数の副箱体を備えている。
【００１５】
ここで、主箱体１０１は、前面に開口部を有する箱体であり、冷蔵庫１００の内方と外方との熱の出入りを遮断する断熱性能を備えている。
【００１６】
冷蔵庫１００が備える副箱体は、その機能（冷却温度）によって冷蔵室１０２、製氷室１０５、製氷室１０５に併設され庫内の温度が変更できる切換室１０６、野菜室１０４、および冷凍室１０３をそれぞれ形成している。
【００１７】
冷蔵室１０２の前面開口部には、例えばウレタンのような発泡断熱材を発泡充填した回転式の断熱扉１０７が設けられている。
【００１８】
また、製氷室１０５、切換室１０６、野菜室１０４、および冷凍室１０３の前面開口部にはそれぞれ引き出しが設けられている。製氷室１０５、切換室１０６、野菜室１０４、冷凍室１０３はそれぞれ、断熱性能を備えた前板１０８により冷気の漏れがないように開閉可能に密閉される。
【００１９】
図２は、冷蔵室を形成する副箱体を正面から示す平面図である。
図３は、冷蔵室を形成する副箱体の断面状態を側面から示す平面図である。
【００２０】
これらの図に示すように、冷蔵庫１００は、主箱体１０１の内壁に配置され、主箱体１０１の開口部近傍から奥側に向けて主箱体１０１内方を照明する照明ユニット２００を備えている。また、冷蔵庫１００は、主箱体１０１の内方に、収容物が載置される棚板１１０を着脱可能に備えている。具体的には、冷蔵室１０２の内方に、平板状のガラス製の５枚の棚板１１０が配置されている。
【００２１】
図４は、主箱体の内壁に配置される照明ユニットの断面を側方から示す平面図である。
同図に示すように、照明ユニット２００は、主箱体１０１の内方を照明するユニットであって、半導体発光素子２１０と、基板２２３と、中間部材２４０と、カバー部材２２０とを備えている。
【００２２】
カバー部材２２０は、半導体発光素子２１０を主箱体１０１内方の雰囲気から遮断する部材である。これにより、主箱体１０１の内方に湿った空気が入り込んできたような場合でも、半導体発光素子２１０やそれが取り付けられている基板２２３に露が付着することを回避できる。本実施の形態の場合、カバー部材２２０は、半導体発光素子２１０の主箱体１０１内方側を覆う板状の部材であり、樹脂を成型して得られる部材である。
【００２３】
台座２３０は、主箱体１０１の内壁に取り付けられて基板２２３を介して半導体発光素子２１０を保持する部材である。本実施の形態の場合台座２３０は、遮蔽部材２２４が一体に設けられている。なお、図４において、遮蔽部材２２４は、台座２３０の他の部分と異なるハッチングを施しているが、これは遮蔽部材２２４として機能する部分を明確にするためであり、他の台座２３０の部分と材質が異なることを示すものではない。
【００２４】
また台座２３０は、外方に張り出すフランジ部２３１を備えている。フランジ部２３１は、主箱体１０１を製造する際に、内箱１７１に設けられた孔２３２の周縁と当接状態で接続される部分である。このようにすることで、内箱１７１を成形容易な形状とすることができる。一方、台座２３０は、比較的小型であるため、複雑な形状とすることも容易であり、遮蔽部材２２４を容易に一体成形できる。なお、主箱体１０１の製造時においては、台座２３０が取り付けられた状態の内箱１７１と外箱（図示せず）との間に断熱材（図示せず）が充填され、フランジ部２３１は、断熱材が充填され発泡する際の力に抗する機能を備えている。
【００２５】
基板２２３は、半導体発光素子２１０が取り付けられる板状の部材であり、半導体発光素子２１０に電力を供給するための配線が設けられる部材である。基板２２３は、半導体発光素子２１０の配置される内壁面Ａと半導体発光素子２１０が取り付けられる基板２２３の面である板面Ｆとが平行となるように配置される。
【００２６】
本実施の形態の場合、基板２２３は、冷蔵庫１００の幅方向に延設される細長い帯形状となっており、複数個の半導体発光素子２１０が取り付けられるものとなっている。
【００２７】
半導体発光素子２１０は、光を発生させ、主箱体１０１の内方に向けて光を放射する発光素子であり、半導体発光素子２１０が放射する光の中心軸である光軸Ｂが内壁面Ａに垂直な軸である内壁軸Ｃよりも冷蔵庫１００の奥側（図４中矢印Ｄ）に向くように配置されている。
【００２８】
本実施の形態の場合、半導体発光素子２１０は、ＬＥＤ（Ｌｉｇｈｔ  Ｅｍｉｔｔｉｎｇ  Ｄｉｏｄｅ）が採用されており、素子本体２１１と、素子本体２１１から突出状に設けられるリード線２１２とを備えている。半導体発光素子２１０は、主箱体１０１の内壁の一つである天井部に陥没状に設けられる凹陥部１２０に収容された状態で配置されている。
【００２９】
本実施の形態の場合、半導体発光素子２１０は、砲弾型の素子本体２１１の底部から２本（図には１本のみ記載）のリード線２１２が光軸Ｂに沿って延設された状態で供給されるものであり、半導体発光素子２１０が基板２２３に取り付ける際には、図５に示すように、リード線２１２が曲げられた状態となされる。
【００３０】
このように、半導体発光素子２１０の素子本体２１１が光軸Ｂに沿って長い場合、特に、基板２２３に半導体発光素子２１０が取り付けられた状態における全体的な厚みを薄くすることができ、照明ユニット２００全体としての厚みも薄くすることができる。従って、照明ユニット２００を取り付けることによる冷蔵庫１００の内容積の減少を抑制することが可能となる。また、照明ユニット２００を冷蔵庫１００の内壁に埋設する場合、冷蔵庫１００の断熱性能の低下を抑制することが可能となる。
【００３１】
図６は、中間部材を示す図であり、（ａ）は、中間部材の断面を側方（図５に示す方向）から示す平面図、（ｂ）は、中間部材を正面から示す平面図である。
【００３２】
中間部材２４０は、半導体発光素子２１０のリード線２１２を保護し、基板２２３に対し素子本体２１１を固定する部材である。本実施の形態の場合、素子本体２１１から２本のリード線２１２が延設される半導体発光素子２１０が採用されているため、中間部材２４０は、２本のリード線２１２が別々に挿通される挿通孔２４３を二つ備えている。このように複数のリード線２１２を別々の挿通孔２４３に挿通させることで、リード線２１２の間の短絡を防止することが可能となっている。なお、図面において挿通孔２４３は、リード線２１２よりも大きな径で示されているが、実際には挿通孔２４３は、リード線２１２が挿通されるとほぼ隙間がなくなる状態となっている。このように、中間部材２４０がリード線２１２を保持するものとすることにより、リード線２１２の断線などを抑制することが可能となる。
【００３３】
また、中間部材２４０は、その一端面に基板２２３の板面Ｆと接触する第一面２４１を備え、他面に素子本体２１１と接触し半導体発光素子２１０の光軸Ｂの方向を決定する第二面２４２を備えている。これにより、中間部材２４０が基板２２３と素子本体２１１との間に介在配置されることで、第一面２４１に対する第二面２４２の角度により基板２２３に対する光軸Ｂの傾きが決定される。
【００３４】
また、中間部材２４０が基板２２３と素子本体２１１との間に介在配置されることで、基板２２３に対し素子本体２１１の位置が固定される。これにより、基板２２３に対し素子本体２１１が大きく振動することが防止でき、例えば、コンプレッサなどの振動により冷蔵庫１００が振動した場合でも、素子本体２１１が不本意に揺れることを防止でき、安定した状態で冷蔵庫１００の内方を照明することが可能となる。また、基板２２３と素子本体２１１との位置関係が安定するため、基板２２３と素子本体２１１との間に架橋状に設けられるリード線２１２にかかる力学的負荷を抑制でき、リード線２１２が破断することを抑制できる。
【００３５】
以上のように、基板２２３を内壁面Ａと平行に配置することで、冷蔵庫１００の内容積の減少や基板２２３を凹陥部１２０に配置した際の断熱性能の低下を抑制することができる。また、基板２２３の板面Ｆに対し光軸Ｂが傾くように半導体発光素子２１０を配置することで、上記作用効果を保持しつつ、冷蔵庫１００の開口部近傍から奥側に向けて光を照射することが可能となる。さらに、中間部材２４０を用いることで、リード線２１２を保護することができ、また、基板２２３に対し素子本体２１１を安定化することができる。これにより、リード線２１２が不本意に断線したり短絡したりすることを回避でき、また、コンプレッサなどの振動によって素子本体２１１が大きく揺れ、照明がちらつく現象などを回避することが可能となる。
【００３６】
なお、本願発明は、上記実施の形態に限定されるものではない。例えば、図７に示すように、主箱体１０１の内壁面に凹陥部１２０を設けることなく半導体発光素子２１０を配置し、その周囲をカバー部材２２０で覆うものでもかまわない。この場合でも、基板２２３は、内壁面Ａに平行となるように取り付けられ、内壁面Ａの内壁軸Ｃよりも光軸Ｂが奥側（図７中矢印Ｄ）に傾くように半導体発光素子２１０が配置されている。
【００３７】
このような構成においても、上記と同様の作用効果を奏することが可能となる。
また、半導体発光素子２１０は、リード線２１２を曲げた状態で基板２２３と接続されるものばかりでなく、基板２２３に表面実装されるようなチップ型の半導体発光素子２１０であってもよい。この場合、半導体発光素子２１０は、基板２２３の板面に垂直に取り付けられることとなるが、基板２２３板面Ｆの法線よりも光軸Ｂが奥側（図７中矢印Ｄ）に傾くような半導体発光素子２１０を選定すればよい。
【００３８】
また、図７に示すような照明ユニット２００では、中間部材２４０は、存在していないと考えてもよく、また、中間部材２４０は、半導体発光素子２１０の素子本体２１１と一体であると考えてもよい。
【００３９】
また、半導体発光素子２１０やカバー部材２２０は、内壁に配置されればよく、本実施の形態のように天井部に当たる内壁ばかりでなく、側壁に当たる内壁や、床部に当たる内壁に配置されるものでもよい。また、半導体発光素子２１０やカバー部材２２０は、冷蔵室１０２ばかりでなく冷凍室１０３や野菜室１０４、製氷室１０５、切換室１０６に配置されるものでもよい。
【００４０】
本明細書において記載した構成要素を任意に組み合わせて実現される別の実施の形態を本願発明の一例としてもよい。また、上記実施の形態に対して本願発明の主旨、すなわち、特許請求の範囲に記載される文言が示す意味を逸脱しない範囲で当業者が思いつく各種変形を施して得られる変形例も本願発明に含まれる。
【００４１】
また、「平行」「垂直」などの文言は本願発明の趣旨を逸脱しない程度の誤差を許容する意味で使用している。
【産業上の利用可能性】
【００４２】
本発明は、冷蔵庫に利用可能である。
【符号の説明】
【００４３】
１００  冷蔵庫
１０１  主箱体
１０２  冷蔵室
１０３  冷凍室
１０４  野菜室
１０５  製氷室
１０６  切換室
１０７  断熱扉
１０８  前板
１１０  棚板
１２０  凹陥部
１７１  内箱
２００  照明ユニット
２１０  半導体発光素子
２１１  素子本体
２１２  リード線
２２０  カバー部材
２２３  基板
２２４  遮蔽部材
２３０  台座
２３１  フランジ部
２３２  孔
２４０  中間部材
２４１  第一面
２４２  第二面
２４３  挿通孔
【図１】
2011179795.tif 000003
【図２】
2011179795.tif 000004
【図３】
2011179795.tif 000005
【図４】
2011179795.tif 000006
【図５】
2011179795.tif 000007
【図６】
2011179795.tif 000008
【図７】
2011179795.tif 000009